(57)【要約】  本発明は、印刷製品を加工処理するための方法と装置であって、この場合、部分的に重なり合った印刷製品１１を鱗片状の配置で供給するための少なくとも１つのコンベヤベルト１、４、５が備えられる方法と装置に関する。さらに、印刷製品１１の供給移動中に鱗片状配置で供給される印刷製品１１を各々収集して１つのスタック１２に整えるように印刷製品１１の供給方向に移動可能である少なくとも１つのストップ６と、供給方向に実質的に平行に延在する縁部に沿って印刷製品１１のスタック１２の少なくとも１つの縁部を切断または裁断するための、後続の切断装置９、１０が備えられている。こうして、簡単で確実な積み重ねおよび切断または裁断が複雑ではない装置によって達成される。
2007515358.tif 000002
【特許請求の範囲】
【請求項１】
コンベヤベルト（１、４、５）の上に鱗片状に部分的に重なり合った配置で供給される印刷製品（１１）を加工処理するための方法であって、
印刷製品（１１）の搬送移動中に、鱗片状の配置で供給される印刷製品（１１）を収集してスタック（１２）として整えるステップと、
搬送方向と実質的に平行に延在する縁部に沿って印刷製品（１１）のスタック（１２）の少なくとも１つの縁部を裁断または切断するステップと
を含む方法。
【請求項２】
前記の鱗片状の配置で供給される印刷製品（１１）を収集してスタック（１２）状に整えることを、印刷製品（１１）をストップ（６）に対して搬送することによって、印刷製品（１１）の供給移動中に実施することを特徴とする請求項１に記載の方法。
【請求項３】
印刷製品（１１）の供給速度に対して低い速度で、供給される印刷製品（１１）の搬送経路の部分領域にわたってストップ（６）を移動させることを特徴とする請求項２に記載の方法。
【請求項４】
前記の鱗片状の配置で供給される印刷製品（１１）を収集してスタック状に整えることを、水平面に対して下向きに傾斜して延在する搬送経路に沿って実施することを特徴とする請求項１、２、または３に記載の方法。
【請求項５】
スタック（１２）の少なくとも１つの縁部を裁断した後に、スタック（１２）を搬送方向に対して、特に９０°の角度だけ回転させることを特徴とする請求項１から４のいずれか一項に記載の方法。
【請求項６】
スタック（１２）を回転するためにスタック（１２）に上側と下側から実質的に点状に衝撃圧を偏心的にかけること、およびスタック（１２）をストップ（２６）に向けて案内し、搬送移動中にスタックをストップに当接して衝撃圧点の周りに回転させることを特徴とする請求項５に記載の方法。
【請求項７】
実質的に点状の衝撃圧作用を、例えば回転式ディスク（３１）などの、上側および下側に対して実質的に対向して作用する特にばね作用式の圧縮手段によって生じさせることを特徴とする請求項６に記載の方法。
【請求項８】
スタック（１２）を回転させた後に、印刷製品（１１）のスタック（１２）の少なくとも１つのさらなる縁部に対する裁断を、搬送方向に実質的に平行に延在する縁部に沿って実施することを特徴とする請求項６または７に記載の方法。
【請求項９】
印刷製品を加工処理するための装置であって、搬送装置、および特に少なくとも１つのコンベヤベルト（１、４、５）が備えられて、印刷製品（１１）を鱗片状の部分的に重なり合った配置で供給し、印刷製品（１１）の搬送移動中に鱗片状配置で供給される印刷製品（１１）を各々収集して１つのスタック（１２）に整えるように印刷製品の搬送方向に移動可能である少なくとも１つのストップ（６）と、搬送方向に実質的に平行に延在する縁部に沿って印刷製品（１１）のスタック（１２）の少なくとも１つの縁部を切断または裁断するための、後続の切断装置（９、１０）とをさらに備えた装置。
【請求項１０】
印刷製品（１１）を給送するためのコンベヤベルト（１、４、５）に実質的に平行に少なくとも部分的に延在する搬送手段、特にチェーン（７）の周辺に、複数の移動可能ストップ（６）が備えられ、前記ストップ（６）は、印刷製品（１１）を給送するためのコンベヤベルト（１、４）の搬送速度に対して低い速度で移動することを特徴とする請求項９に記載の装置。
【請求項１１】
印刷製品（１１）を給送するためのコンベヤベルト（１、４）と、複数のストップ（６）を備える搬送装置（７）の両方を、水平線から下向きに偏位する方向に沿って少なくとも部分的に案内することを特徴とする請求項９または１０に記載の装置。
【請求項１２】
１つのストップ（６）がその都度鱗片状配置で供給される印刷製品（１１）と会合する区域にコンベヤベルト区分（４）を備え、前記コンベヤベルト区分（４）は鱗片状の印刷製品（１１）の供給速度に対して高い速度で駆動されることを特徴とする請求項９から１１のいずれか一項に記載の装置。
【請求項１３】
鱗片状の印刷製品（１１）に作用するためのノズルをスタック（１２）の形成領域に追加で備えることを特徴とする請求項９から１２のいずれか一項に記載の装置。
【請求項１４】
搬送方向に実質的に平行に延在するガイド、特に振動ガイドを少なくともスタック（１２）の形成領域に備えることを特徴とする請求項９から１３のいずれか一項に記載の装置。
【請求項１５】
スタック（１２）の形成領域に認識装置または計数装置を備えることを特徴とする請求項９から１４のいずれか一項に記載の装置。
【請求項１６】
印刷製品（１１）のスタック（１２）の少なくとも１つの縁部を裁断した後にスタック（１２）を回転させるための装置（２４、３１）を追加的に備えることを特徴とする請求項９から１５のいずれか一項に記載の装置。
【請求項１７】
スタック（１２）を回転させるための装置が、１つのスタックの上側と下側にそれぞれ対向関係で偏心的に係合する圧縮手段（２４、３１）と、スタックが当てられて搬送されるストップ（２６）とから構成されることを特徴とする請求項１６に記載の装置。
【請求項１８】
圧縮手段が特にばね負荷式回転式ディスク（２４、３１）から構成され、ストップ（２６）が弧状または漏斗状に配置されたストップローラから構成され、これらの軸は転向しようとするスタック（１２）の搬送方向に実質的に垂直に延在することを特徴とする請求項１７に記載の装置。
【請求項１９】
特に給送ベルトの速度よりも高い速度で駆動されるコンベヤベルトまたはコンベヤチェーン（２３、３４）を備えて回転式ディスク（２４、３１）を動かすことを特徴とする請求項１７または１８に記載の装置。
【発明の詳細な説明】
【技術分野】
【０００１】
本発明は、コンベヤベルトの上に鱗片状に（ｉｎ  ｓｃｈｕｐｐｅｎｆｏｒｍｉｇｅｒ）部分的に重なり合った配置で供給される印刷製品を加工処理するための方法と、搬送装置、特に少なくとも１つのコンベヤベルトが設けられて鱗片状に部分的に重なり合った配置で印刷製品を供給する、印刷製品を加工処理するための装置に関する。
【背景技術】
【０００２】
薄い印刷製品は通常、例えば独国特許公開第１００４５００２号明細書から取り上げることができるように、鱗片状の形で搬送され切断される。この場合、部分的に重なる縁部の領域における最下ページの縁部のわずかな引き裂きが考慮される。同様な生産性を達成しながらこのような引き裂きを防止する知られている構成は、極めて複雑な設備を構成する切断シリンダによって操作される。この場合、製品は定置切断刃を通過しながら、シリンダの中に個別にまたは随意に小さなスタックとして保持される。３ページまでの製品を切断することができる。
【発明の開示】
【発明が解決しようとする課題】
【０００３】
本発明の目的は、簡単な手段と簡単な工程管理によって、鱗片状または部分的に重なり合った配置でコンベヤベルトの上に供給される印刷製品の適切な切断を可能にする、最初に定義した形式の印刷製品を加工処理するための方法と装置を提供することである。
【課題を解決するための手段】
【０００４】
これらの目的を解決するために、最初に定義した形式の方法は実質的に、
印刷製品の搬送移動中に、鱗片状の配置で供給される前記印刷製品を収集してスタックとして整えるステップと、
搬送方向と実質的に平行に延在する縁部に沿って印刷製品のスタックの少なくとも１つの縁部を裁断または切断するステップと
を含む。
【０００５】
先ず収集と積み重ねを行う過程によって、本発明は、印刷所の通常設備の一部を形成する切断機または回転式ナイフを備えた装置の使用を可能にする。このような切断機によれば、厚い印刷製品でも、それは特に裂け易い真っ直ぐな厚い製品であるから、両辺の裁断が可能になる。望むならば、製品の中央を通る切断も実施可能である。製品は本発明によってスタックとして上下に正確に整えられているので、回転式ナイフの使用が可能になる。これによって、鱗片状の配置から必然的に生じる最下部製品の空洞位置は防止される。
【０００６】
好ましい一実施形態によれば、前記の鱗片状の配置で供給される印刷製品を収集してスタック状に整えることを、印刷製品をストップに対して搬送することによって、印刷製品の供給移動中に実施し、こうして鱗片状の配置で供給される印刷製品の確かで急速な積み重ねまたは収集およびスタック状配置を可能にすることが提供される。
【０００７】
本発明による方法の別の好ましい実施形態に対応するように、印刷製品の供給速度に対して低い速度で、供給される印刷製品の搬送経路の部分領域にわたってストップを移動させることによって、簡単な積み重ねが助けられる。ストップと供給される印刷製品との移動に関して異なる供給速度を提供することによって、ストップを使用してストップに対して印刷製品を動かすときに、それぞれ所望の数の印刷製品のスタックを急速かつ確実に形成することができる。
【０００８】
さらに別の好ましい実施形態によれば、前記の鱗片状の配置で供給される印刷製品を収集してスタック状に整えることを、鱗片状に配置された印刷製品の供給移動に加えて、水平面に対して下向きに傾斜して延在する搬送経路領域において印刷製品に作用する重力によって積み重ね過程が行われるように、水平面に対して下向きに傾斜して延在する搬送経路に沿って実施することが提供される。
【０００９】
上に指摘したように、鱗片状の配置で供給される印刷製品の収集およびスタック状配置は、スタックの形成の後直ちに搬送方向に実質的に平行に延在する縁部に沿って、少なくとも１つの縁部の、好ましくは両縁部の切断または裁断を可能にする。しかし多くの場合、印刷製品は全体的に見て３辺または４辺の裁断を受けるので、搬送方向に平行な縁部に沿って裁断した後に、さらに切断工程を実施するために印刷製品の回転または再方向付けが必要となる。これに関連して、さらに別の好ましい実施形態によれば、スタックの少なくとも１つの縁部を裁断した後に、スタックを搬送方向に対して、特に９０°の角度だけ回転させることが提案される。
【００１０】
回転過程中または回転過程の後にスタックの特に簡単で確実な回転と正確な位置決めを保証するために、さらに別の好ましい実施形態によれば、スタックを回転するためにスタックに上側と下側から実質的に点状に衝撃圧（Ｄｒｕｃｋｂｅａｕｆｓｃｈｌａｇｕｎｇ）を偏心的にかけること、およびスタックをストップに向けて案内し、搬送移動中にスタックをストップに当接して衝撃圧点の周りに回転させることが提案される。
【００１１】
正確で目的に合った回転または方向変更過程を実施するために、さらに別の好ましい実施形態によれば、実質的に点状の衝撃圧作用を、例えば回転式ディスクなどの、上側および下側に対して実質的に対向様式で作用する特にばね作用式の圧縮手段によって生じさせることが提案される。
【００１２】
上に既に指摘したように、回転または方向変更の後に、さらに別の好ましい実施形態では、スタックを回転させた後に、印刷製品のスタックの少なくとも１つのさらなる縁部に対する裁断を、搬送方向に実質的に平行に延在する縁部に沿って実施することが提案される。
【００１３】
回転または再方向付けに関して本発明によって提案される上記の工程管理を通じて、元の搬送方向を横切って走行するコンベヤベルト上のストップの助けによる印刷製品のこれまで使用されてきた再方向付けを、不必要にすることができる。製品の静的装荷の結果として生じる生産支障も回避される。本発明は特に、製品が全回転過程中に保持され、こうしてより高い速度が可能となり、しかし互いに緩く重なり合った製品の回転も可能にするという特長がある。
【００１４】
さらに別の結果として、さらに本発明は製品の積み重ねを容易にする。この製品の積み重ねは、スタック全体の個別の部分スタックが各々１８０°回転できるようにするために、製品の鱗片状物を遮断しなければならない積み重ね器械によって通常実施される。本発明によれば部分スタックが既に積み重ね器械に到達するので、このような中断はもはや必要ではない。さらにまた、スタックが高くなると、設備の流量は同じであって製品速度は低下する。この結果、より簡単な積み重ね器械を使用することができる。
【００１５】
上記の課題を解決するために、最初に定義した形式の装置はさらに少なくとも１つのストップを備え、このストップは、印刷製品の搬送移動中に鱗片状配置で供給される印刷製品を各々収集して１つのスタックに整えるように印刷製品の搬送方向に移動可能であり、最初に定義した形式の装置はまた、搬送方向に実質的に平行に延在する縁部に沿って印刷製品のスタックの少なくとも１つの縁部を切断または裁断するための、後続の（ｎａｃｈｇｅｓｃｈａｌｔｅｔｅ）切断装置を備え、こうして概して、製造と使用の点で単純であり、例えば回転式ナイフから構成された続いて配置された切断装置に供給することが可能なスタックの簡単な形成を可能にする装置を提供する。
【００１６】
好ましい一実施形態によれば、印刷製品を給送するためのコンベヤベルトに実質的に平行に少なくとも部分的に延在する搬送装置、特にコンベヤチェーンの周辺に、複数の移動可能ストップを備えることが提案され、前記ストップは、印刷製品を給送するためのコンベヤベルトの搬送速度に対して低い速度で移動する。
【００１７】
ストップの個数と搬送装置の長さを適切に選択することによって、形成しようとするスタックならびにスタックとして積み重ねるか配置しようとする印刷製品の数に調和し、および印刷製品の搬送速度ならびにストップの移動速度に調和し、スタックの高さは続いて配置された切断装置において容易に加工処理可能であるという方式で、それぞれ所望のスタック高さを得ることが実現可能である。
【００１８】
さらに別の好ましい実施形態によれば、印刷製品を給送するためのコンベヤベルトと、複数のストップを備える搬送装置の両方を、水平線から下向きに偏位した方向に沿って少なくとも部分的に導き、こうして印刷製品の搬送移動に加えて収集および積み重ね過程を助けるために重力を使用できることが提供される。
【００１９】
特に収集および積み重ね過程中に、鱗片状に部分的に重なり合った様式で供給される印刷製品が確実に共に押されることを可能にするために、さらに別の好ましい実施形態によれば、１つのストップがその都度鱗片状配置で供給される印刷製品と会合する区域にコンベヤベルト部分を備え、このコンベヤベルト部分は鱗片状の印刷製品の供給速度に対して高い速度で駆動されることが提案される。
【００２０】
スタックの形成を容易にするために、さらに別の好ましい実施形態によれば、鱗片状の印刷製品に作用するためのノズルをスタック形成領域に追加的に備えることが提案される。
【００２１】
印刷製品を搬送方向に導くために、搬送方向に実質的に平行に延在するガイド、特に振動ガイドを少なくともスタック形成領域に備えることがさらに提案される。
【００２２】
積み重ね過程中の印刷製品の搬送速度と特にストップの移動速度との間の適切な同調によって、所定または予め決定可能な高さと印刷製品数とを有するスタックを各々形成することができるが、さらに別の好ましい実施形態によれば、その都度スタックに組み合わせようとする印刷製品の取得と計数のために、スタック形成領域に認識装置または計数装置を備えることが提案される。
【００２３】
本発明によれば、鱗片状の配置でコンベヤベルトの上に置かれた部分的に重なり合った印刷製品は、その後に配置された搬送装置によって水平に捉まり、円弧を通じて斜め下向きに導かれる。これが行われる場合、製品は円弧の領域においてローラによって保持される。ローラの後に続く特別の製品ガイドによって、製品が自ずから滑り落ちることなく製品の活動的な変位が可能になる。
【００２４】
円弧に続いて、短い第２コンベヤベルトが円弧の延長部に配置されている。これもまた斜め下向きに方向付けられている。しかし、このコンベヤベルトはより高いベルト速度で走行する。駆動されることなく緩く回転するキャスタによって形成された第２円弧が、製品を水平位置に運ぶ。
【００２５】
コンベヤチェーンまたはコンベヤベルトの上に取り付けられたブレードまたはストップが、印刷製品のための急速に走行するコンベヤベルトの上で正確に上部から鱗片状物の流れに到達し、キャスタの円弧に沿って鱗片状物の流れに同伴する。ストップの速度は鱗片状物の速度よりも低いので、製品は互いに乗り上げ（ａｕｆｚｕｌａｕｆｅｎ）始める。こうして、スタックがストップまたはブレードの縁部に形成されるが、これはまだ残りの鱗片状物と繋がっている。製品は最高速から減速されるが、より速く走行するコンベヤベルトによって生じる加速度が鱗片状物の下部領域に分与される。２つの相対的移動は水平線に対して傾斜した位置で生じるので、製品は重力の作用の下で追加的に滑り落ち始める。この過程は、製品間にエアクッションを発生させるノズルによって容易になる。その上、２つの製品縁部に設けられたガイドが側方への滑りを防止する。こうして、すべての製品がストップまたはブレードの縁部に到達し、この間に他のストップが鱗片状物の流れの中に導入または挿入される。
【００２６】
ストップは鱗片状物または鱗片状物の流れを次から次へと分割する。ストップの相対的距離を製品のサイズに適合させることができる。多かれ少なかれストップを含むチェーンまたは搬送手段を、搬送手段の全長にわたって何も変更することなく使用することができる。好ましい方式では、円弧形状のキャスタ経路が、製品が特にブレード状のストップから落下することを防止する。この場合には、スタックは重力のみによって動かされて円弧を流れ落ち、確実にストップの速度を受け入れながらストップによって引き留められる。
【００２７】
最終的に、ストップは次々に製品の流れから旋回して離れる。こうしてスタックは次々に転がる。スタックの流れが形成され、このスタックの流れは、製品がもはや鱗片状の関係で前後に配列されず、確実に上下に重なって前後に密に連なるスタックを形成することを特徴とする。さらにスタックをある相互距離で、能率の低い切断装置においても切断することができる。単一スタックの中に含まれる製品の数は、コンベヤベルトとコンベヤチェーンとの速度の比の関数である。電子式製品端部認識手段によって正確に計数されたスタックが可能になる。例えば歯付きベルトまたはコンベヤベルトなどのコンベヤチェーン以外の搬送エレメントを使用してストップを案内してもよい。
【００２８】
既に上に指摘したように、３辺または４辺を裁断するために、印刷製品またはスタックの追加的な回転または転向または再方向付けを行ってもよい。これに関連して、好ましい実施形態では、スタックの少なくとも１つの縁部を裁断した後に印刷製品のスタックを回転させるための装置を追加的に備えることが提案される。
【００２９】
搬送過程中にスタックを転向または回転させるための特に簡単な手段は、本質的に、本発明による装置のさらに別の好ましい実施形態に対応するように、スタックを回転させるための装置が、１つのスタックの上側と下側にそれぞれ対向関係で偏心的に係合する圧縮手段と、スタックが当てられて搬送されるストップとから構成されることを特徴とする。
【００３０】
画定された回転移動を得るために、さらに別の好ましい実施形態によれば、圧縮手段が特にばね負荷式回転式ディスクから構成され、ストップが弧状または漏斗状に配置されたストップローラから構成され、これらの軸は転向しようとするスタックの搬送方向に実質的に垂直に延在することが提案され、さらに別の好ましい実施形態では、これに関連して、特に給送ベルト（Ｚｕｆｏｒｄｅｒｂａｎｄ）の速度よりも高い速度で駆動されるコンベヤベルトまたはコンベヤチェーンを備えて回転式ディスクを動かすことが提案される。
【００３１】
本発明によれば、３辺または４辺を裁断するために備えられた製品またはスタックを、さらなる裁断の前に回転装置によって９０°だけ回転させる。これはまた、元の搬送方向を横切る裁断のみを行う必要があるため、または積み重ね装置による回転が要求されるためのいずれかで、生産上の理由のために回転させる必要がある製品についても可能である。９０°以外の角度も実施することができる。
【００３２】
上記の装置で形成されたスタックが加工処理されることは好ましい。さらに、他の生産プロセスから出たスタックおよび単一製品も回転させることができる。
【００３３】
この目的のために、製品は、キャリッジの上に好ましくは弾性的に取り付けられてチェーンによって引っ張られる回転式ディスクによって捉まり、引き離され、回転される。さまざまな回転式ディスク間隔を有するチェーンを備えてもよい。個別の回転式ディスクは固定された間隔でこれらのキャリッジによってチェーンに留められている。さらに、例えば歯付きベルトなどの別の搬送手段を使用してもよい。チェーンは対として同期的に作動するので、２つの回転式ディスクが共に１つの旋回継手を形成する。製品はこの間に挟まれるので、もはや滑ることはない。一方の側に１つの回転式ディスクと他の側に１つのコンベヤベルトだけを有する実施形態が可能である。製品がローラの上を回転中に滑動し、空気テーブルまたは固定テーブルを使用できることが好ましい。好ましい方式では、製品を製品中央の外側で締め付けて加速する。第１回転が実施され、この場合、加速力が中央片寄りによるトルクを発生する。この傾斜位置で、製品はストップに対して走行し、さらに回転される。このストップは、回転様式で漏斗状に設計されて、回転が過度に急速に発生することを防止することが好ましい。追加の電子式製品端部認識手段によって、製品上への回転式ディスクの正確な装着が可能になる。ある一実施形態では、ストップはそれでも起こり得る不正確さを補償するために横方向に弾んでずれる（ｗｅｇｆｅｄｅｒｎ）ことができる。
【００３４】
したがって、概して、特に費用効果のある素早く動作する切断装置、特に回転ナイフが動作する簡単な方法ならびに簡単な装置が提供される。部分的に重なり合った印刷製品を鱗片状の配置で供給する既存の設備の簡単な改装も実現可能であるから、設備全体を完全に新たに設計する必要はない。
【００３５】
以下に、添付の図面に概略的に図解された例示的な実施形態によって、本発明をさらに詳しく説明する。
【発明を実施するための最良の形態】
【００３６】
図１から、印刷製品を加工処理するための、特に製品スタックを形成するための装置の一実施形態が明らかになる。印刷製品１１を、最初は水平に延在するコンベヤベルト１の上で、鱗片状に上下に配置された形で、または互いに部分的に重なり合った様式で搬送することができる。この後、コンベヤベルト１は円弧の上を斜め下向きに導かれる。この下向き移動の間に、製品はローラ２とガイド３によって支持され、このローラ２は製品を確保し、これらのガイド３は製品の活動的な変位を可能にする。製品の寸法に応じてローラ２を前後に押すことができる。
【００３７】
コンベヤベルト１の円弧に続いて、さらに別のコンベヤベルト４が斜め下向きに延在するように配置されている。区分４のベルト速度はコンベヤベルト１の速度よりも高い。非駆動キャスタ円弧５が製品を水平位置に戻す。
【００３８】
複数のブレードまたはストップ６が、チェーンによって形成された搬送手段７の助けによって製品の流れの中に上から入る。ブレード状のストップ６はキャスタ円弧５に沿って鱗片状物の流れに随伴する。貫通ストップ６の速度は鱗片状物の速度よりもわずかに低い。こうして、製品は互いに乗り上げて、スタック１２を形成し始めるが、まだ鱗片状物に共に繋がれている。
【００３９】
コンベヤベルト４は鱗片状物を下から加速させそれを分けるが、別のストップ６が鱗片状物の流れの中に貫通する。重力の作用によって、製品１１はストップの縁部によって正確に方向付けられる。この過程は、側方ガイドを任意に振動させることによって容易になる。
【００４０】
スタック１２は、ローラ円弧５を介してその水平位置を取り戻す。こうして、正確に重なり合った製品のスタックは、鱗片状の形で到着する製品によって形成される。ローラ円弧５の端部において、ストップ６は再度チェーン７によって製品の流れから引き出される。スタック１２はコンベヤベルト８の上を互いに転がることができる。コンベヤベルト８の速度は、製品間の距離ができるだけ小さくなるように調整される。製品は回転式ナイフ９および１０の助けによって切断される。
【００４１】
図２Ａは、製品スタックを回転させるための装置の一実施形態を図示する。スタック１２として上下に重なって配置された印刷製品１１を、水平に延在するコンベヤベルト２１の上で運搬することができる。コンベヤベルト２１の延長端部に、チェーン２２及ぶ２３から構成されるチェーンコンベヤが配置され、スタック１２がコンベヤベルト２１から、チェーンに弾性的に固定された回転式ディスク２４によって捉えられるようになっている。チェーン２２および２３の速度は供給コンベヤベルト２１の速度よりも高いので、製品間の距離は増す。さらにまた、製品中央の外側に適用される回転式ディスク２４は速度の変化のためにトルクを発生させるので、製品は回転を分与される。回転式ディスク２４の間にスタックを挟む回転式ディスク２４によって、スタックは前記回転中にそれ自体の中でも滑ることができない。
【００４２】
図２Ｂは、ローラテーブル２５の上の前記回転を図示する。テーブルの略中央に、スタック１２がなお回転式ディスク２４によって保持され、漏斗状の様式で配置されたローラによって案内されるストップ２６に対して走行する。ストップローラ２６によって案内されて、次にスタックは平行に方向付けられるまでさらに回転される。図２Ａに図示するコンベヤベルト２７が、こうして回転したスタック１２を引き取る。ベルト速度を介してスタック１２間の相対距離を調節することができる。
【００４３】
図３Ａおよび３Ｂは、回転中に製品スタックを保持するための装置の一実施形態を図示する。製品スタックは、ばね３２によって保持されることによって回転式ディスク３１の間に締め付けられる。２つの回転式ディスク３１はそれぞれ、製品スタックをそれ自体の中で滑らせることなく、製品スタックの自由回転を可能にする旋回継手を形成する。案内経路３５を走行するローラ３３を有する案内キャリッジは、こうして形成された保持力を取り上げる。案内キャリッジは、回転式ディスクの軸が互いに上下に正確に位置するように、チェーン３４によって引っ張られる。
【図面の簡単な説明】
【００４４】
【図１】本発明による方法を実施するために使用される製品スタックを形成するための、本発明による装置の一実施形態の概略立面図である。
【図２Ａ】搬送設備において製品スタックを回転させるための本発明による装置の一実施形態の概略立面図である。
【図２Ｂ】搬送設備において製品スタックを回転させるための本発明による装置の一実施形態の概略平面図である。
【図３Ａ】回転中に製品スタックを保持するための本発明による装置の一実施形態の概略立面図である。
【図３Ｂ】回転中に製品スタックを保持するための本発明による装置の一実施形態の概略平面図である。
【図１】
2007515358.tif 000003
【図２Ａ】
2007515358.tif 000004
【図２Ｂ】
2007515358.tif 000005
【図３Ａ】
2007515358.tif 000006
【図３Ｂ】
2007515358.tif 000007
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
印刷製品（１１）の少なくとも１つの縁部が、搬送方向に本質的に平行である縁部に沿って裁断または切断される、コンベヤベルト（１、４、５）の上に鱗片状に部分的に重なり合った配置で供給される印刷製品（１１）を加工処理するための方法であって、
印刷製品（１１）の搬送移動中に、鱗片状の配置で供給される印刷製品（１１）を収集してスタック（１２）として整えるステップと、
搬送方向と実質的に平行に延在する縁部に沿って印刷製品（１１）のスタック（１２）の少なくとも１つの縁部を裁断または切断するステップと
を特徴とする方法。
【請求項２】
前記の鱗片状の配置で供給される印刷製品（１１）を収集してスタック（１２）状に整えることを、印刷製品（１１）をストップ（６）に対して搬送することによって、印刷製品（１１）の供給移動中に実施することを特徴とする請求項１に記載の方法。
【請求項３】
印刷製品（１１）の供給速度に対して低い速度で、供給される印刷製品（１１）の搬送経路の部分領域にわたってストップ（６）を移動させることを特徴とする請求項２に記載の方法。
【請求項４】
前記の鱗片状の配置で供給される印刷製品（１１）を収集してスタック状に整えることを、水平面に対して下向きに傾斜して延在する搬送経路に沿って実施することを特徴とする請求項１、２、または３に記載の方法。
【請求項５】
スタック（１２）の少なくとも１つの縁部を裁断した後に、スタック（１２）を搬送方向に対して、特に９０°の角度だけ回転させることを特徴とする請求項１から４のいずれか一項に記載の方法。
【請求項６】
スタック（１２）を回転するためにスタック（１２）に上側と下側から実質的に点状に衝撃圧を偏心的にかけること、およびスタック（１２）をストップ（２６）に向けて案内し、搬送移動中にスタックをストップに当接して衝撃圧点の周りに回転させることを特徴とする請求項５に記載の方法。
【請求項７】
実質的に点状の衝撃圧作用を、例えば回転式ディスク（３１）などの、上側および下側に対して実質的に対向して作用する特にばね作用式の圧縮手段によって生じさせることを特徴とする請求項６に記載の方法。
【請求項８】
スタック（１２）を回転させた後に、印刷製品（１１）のスタック（１２）の少なくとも１つのさらなる縁部に対する裁断を、搬送方向に実質的に平行に延在する縁部に沿って実施することを特徴とする請求項６または７に記載の方法。
【請求項９】
印刷製品（１１）を鱗片状の部分的に重なり合った配置で供給するための搬送装置、特に少なくとも１つのコンベヤベルト（１、４、５）と、搬送方向に平行である縁部に沿って印刷製品（１１）の少なくとも１つの縁部を切断するための、後続の少なくとも１つの切断装置（９、１０）が備えられた、印刷製品を加工処理するための装置であって、印刷製品（１１）の搬送移動中に鱗片状配置で供給される印刷製品（１１）を各々収集して１つのスタック（１２）に整えるように印刷製品の搬送方向に移動可能である少なくとも１つのストップ（６）をさらに含むこと、および搬送方向に実質的に平行に延在する縁部に沿って印刷製品（１１）のスタック（１２）の少なくとも１つの縁部を切断または裁断するための、後続の切断装置（９、１０）が備えられていることを特徴とする装置。
【請求項１０】
印刷製品（１１）を給送するためのコンベヤベルト（１、４、５）に実質的に平行に少なくとも部分的に延在する搬送手段、特にチェーン（７）の周辺に、複数の移動可能ストップ（６）が備えられ、前記ストップ（６）は、印刷製品（１１）を給送するためのコンベヤベルト（１、４）の搬送速度に対して低い速度で移動することを特徴とする請求項９に記載の装置。
【請求項１１】
印刷製品（１１）を給送するためのコンベヤベルト（１、４）と、複数のストップ（６）を備える搬送装置（７）の両方を、水平線から下向きに偏位する方向に沿って少なくとも部分的に案内することを特徴とする請求項９または１０に記載の装置。
【請求項１２】
１つのストップ（６）がその都度鱗片状配置で供給される印刷製品（１１）と会合する区域にコンベヤベルト区分（４）を備え、前記コンベヤベルト区分（４）は鱗片状の印刷製品（１１）の供給速度に対して高い速度で駆動されることを特徴とする請求項９から１１のいずれか一項に記載の装置。
【請求項１３】
鱗片状の印刷製品（１１）に作用するためのノズルをスタック（１２）の形成領域に追加で備えることを特徴とする請求項９から１２のいずれか一項に記載の装置。
【請求項１４】
搬送方向に実質的に平行に延在するガイド、特に振動ガイドを少なくともスタック（１２）の形成領域に備えることを特徴とする請求項９から１３のいずれか一項に記載の装置。
【請求項１５】
スタック（１２）の形成領域に認識装置または計数装置を備えることを特徴とする請求項９から１４のいずれか一項に記載の装置。
【請求項１６】
印刷製品（１１）のスタック（１２）の少なくとも１つの縁部を裁断した後にスタック（１２）を回転させるための装置（２４、３１）を追加的に備えることを特徴とする請求項９から１５のいずれか一項に記載の装置。
【請求項１７】
スタック（１２）を回転させるための装置が、１つのスタックの上側と下側にそれぞれ対向関係で偏心的に係合する圧縮手段（２４、３１）と、スタックが当てられて搬送されるストップ（２６）とから構成されることを特徴とする請求項１６に記載の装置。
【請求項１８】
圧縮手段が特にばね負荷式回転式ディスク（２４、３１）から構成され、ストップ（２６）が弧状または漏斗状に配置されたストップローラから構成され、これらの軸は転向しようとするスタック（１２）の搬送方向に実質的に垂直に延在することを特徴とする請求項１７に記載の装置。
【請求項１９】
特に給送ベルトの速度よりも高い速度で駆動されるコンベヤベルトまたはコンベヤチェーン（２３、３４）を備えて回転式ディスク（２４、３１）を動かすことを特徴とする請求項１７または１８に記載の装置。
【手続補正２】
【補正対象書類名】明細書
【補正対象項目名】全文
【補正方法】変更
【補正の内容】
【発明の詳細な説明】
【技術分野】
【０００１】
本発明は、印刷製品の少なくとも１つの縁部が搬送方向に本質的に平行である縁部に沿って裁断または切断される、鱗片状の（ｉｎ  ｓｃｈｕｐｐｅｎｆｏｒｍｉｇｅｒ）部分的に重なり合った配置でコンベヤベルト上を供給される印刷製品を加工処理するための方法、ならびに、鱗片状の部分的に重なり合った配置で印刷製品を供給するための搬送装置、特に少なくとも１つのコンベヤベルトと、搬送方向に平行である縁部に沿って印刷製品の少なくとも１つの縁部を切断するための少なくとも１つの後続の切断装置とが備えられた、印刷製品を加工処理するための装置に関する。
【背景技術】
【０００２】
薄い印刷製品は通常、例えば独国特許公開第１００４５０６２号明細書から取り上げることができるように、鱗片状の形で搬送され切断される。このことから上記の形式の方法と装置を取り上げることができる。この場合、部分的に重なる縁部の領域における最下ページの縁部のわずかな引き裂きが考慮される。同様な生産性を達成しながらこのような引き裂きを防止する周知の構成は、極めて複雑な設備を構成する切断シリンダによって操作される。この場合、製品は定置切断刃を通過しながら、シリンダの中に個別にまたは随意に小さなスタックとして保持される。３ページまでの製品を切断することができる。
【発明の開示】
【発明が解決しようとする課題】
【０００３】
本発明の目的は、簡単な手段と簡単な工程管理によって、鱗片状または部分的に重なり合った配置でコンベヤベルトの上に供給される印刷製品の適切な切断を可能にする、最初に定義した形式の印刷製品を加工処理するための方法と装置を提供することである。
【課題を解決するための手段】
【０００４】
これらの目的を解決するために、最初に定義した形式の方法は実質的に、
印刷製品の搬送移動中に、鱗片状の配置で供給される前記印刷製品を収集してスタックとして整えるステップと、
搬送方向と実質的に平行に延在する縁部に沿って印刷製品のスタックの少なくとも１つの縁部を裁断または切断するステップと
を含む。
【０００５】
先ず収集と積み重ねを行う過程によって、本発明は、印刷所の通常設備の一部を形成する切断機または回転式ナイフを備えた装置の使用を可能にする。このような切断機によれば、厚い印刷製品でも、それは特に裂け易い真っ直ぐな厚い製品であるから、両辺の裁断が可能になる。望むならば、製品の中央を通る切断も実施可能である。製品は本発明によってスタックとして上下に正確に整えられているので、回転式ナイフの使用が可能になる。これによって、鱗片状の配置から必然的に生じる最下部製品の空洞位置は防止される。
【０００６】
好ましい一実施形態によれば、前記の鱗片状の配置で供給される印刷製品を収集してスタック状に整えることを、印刷製品をストップに対して搬送することによって、印刷製品の供給移動中に実施し、こうして鱗片状の配置で供給される印刷製品の確かで急速な積み重ねまたは収集およびスタック状配置を可能にすることが提供される。
【０００７】
本発明による方法の別の好ましい実施形態に対応するように、印刷製品の供給速度に対して低い速度で、供給される印刷製品の搬送経路の部分領域にわたってストップを移動させることによって、簡単な積み重ねが助けられる。ストップと供給される印刷製品との移動に関して異なる供給速度を提供することによって、ストップを使用してストップに対して印刷製品を動かすときに、それぞれ所望の数の印刷製品のスタックを急速かつ確実に形成することができる。
【０００８】
さらに別の好ましい実施形態によれば、前記の鱗片状の配置で供給される印刷製品を収集してスタック状に整えることを、鱗片状に配置された印刷製品の供給移動に加えて、水平面に対して下向きに傾斜して延在する搬送経路領域において印刷製品に作用する重力によって積み重ね過程が行われるように、水平面に対して下向きに傾斜して延在する搬送経路に沿って実施することが提供される。
【０００９】
上に指摘したように、鱗片状の配置で供給される印刷製品の収集およびスタック状配置は、スタックの形成の後直ちに搬送方向に実質的に平行に延在する縁部に沿って、少なくとも１つの縁部の、好ましくは両縁部の切断または裁断を可能にする。しかし多くの場合、印刷製品は全体的に見て３辺または４辺の裁断を受けるので、搬送方向に平行な縁部に沿って裁断した後に、さらに切断工程を実施するために印刷製品の回転または再方向付けが必要となる。これに関連して、さらに別の好ましい実施形態によれば、スタックの少なくとも１つの縁部を裁断した後に、スタックを搬送方向に対して、特に９０°の角度だけ回転させることが提案される。
【００１０】
回転過程中または回転過程の後にスタックの特に簡単で確実な回転と正確な位置決めを保証するために、さらに別の好ましい実施形態によれば、スタックを回転するためにスタックに上側と下側から実質的に点状に衝撃圧（Ｄｒｕｃｋｂｅａｕｆｓｃｈｌａｇｕｎｇ）を偏心的にかけること、およびスタックをストップに向けて案内し、搬送移動中にスタックをストップに当接して衝撃圧点の周りに回転させることが提案される。
【００１１】
正確で目的に合った回転または方向変更過程を実施するために、さらに別の好ましい実施形態によれば、実質的に点状の衝撃圧作用を、例えば回転式ディスクなどの、上側および下側に対して実質的に対向様式で作用する特にばね作用式の圧縮手段によって生じさせることが提案される。
【００１２】
上に既に指摘したように、回転または方向変更の後に、さらに別の好ましい実施形態では、スタックを回転させた後に、印刷製品のスタックの少なくとも１つのさらなる縁部に対する裁断を、搬送方向に実質的に平行に延在する縁部に沿って実施することが提案される。
【００１３】
回転または再方向付けに関して本発明によって提案される上記の工程管理を通じて、元の搬送方向を横切って走行するコンベヤベルト上のストップの助けによる印刷製品のこれまで使用されてきた再方向付けを、不必要にすることができる。製品の静的装荷の結果として生じる生産支障も回避される。本発明は特に、製品が全回転過程中に保持され、こうしてより高い速度が可能となり、しかし互いに緩く重なり合った製品の回転も可能にするという特長がある。
【００１４】
さらに別の結果として、さらに本発明は製品の積み重ねを容易にする。この製品の積み重ねは、スタック全体の個別の部分スタックが各々１８０°回転できるようにするために、製品の鱗片状物を遮断しなければならない積み重ね器械によって通常実施される。本発明によれば部分スタックが既に積み重ね器械に到達するので、このような中断はもはや必要ではない。さらにまた、スタックが高くなると、設備の流量は同じであって製品速度は低下する。この結果、より簡単な積み重ね器械を使用することができる。
【００１５】
上記の課題を解決するために、最初に定義した形式の装置は本質的に、この装置が、印刷製品の搬送移動中に鱗片状配置で供給される印刷製品を各々収集して１つのスタックに整えるように印刷製品の搬送方向に移動可能である、少なくとも１つのストップを含むこと、および搬送方向に実質的に平行に延在する縁部に沿って印刷製品のスタックの少なくとも１つの縁部を切断または裁断するための、後続の（ｎａｃｈｓｃｈａｌｔｅｔｅ）切断装置を備え、こうして概して、製造と使用の点で単純であり、例えば回転式ナイフから構成される後続の切断装置に供給することが可能なスタックの簡単な形成を可能にする装置を提供することを特徴とする。
【００１６】
好ましい一実施形態によれば、印刷製品を給送するためのコンベヤベルトに実質的に平行に少なくとも部分的に延在する搬送装置、特にコンベヤチェーンの周辺に、複数の移動可能ストップを備えることが提案され、前記ストップは、印刷製品を給送するためのコンベヤベルトの搬送速度に対して低い速度で移動する。
【００１７】
ストップの個数と搬送装置の長さを適切に選択することによって、形成しようとするスタックならびにスタックとして積み重ねるか配置しようとする印刷製品の数に調和し、および印刷製品の搬送速度ならびにストップの移動速度に調和し、スタックの高さは続いて配置された切断装置において容易に加工処理可能であるという方式で、それぞれ所望のスタック高さを得ることが実現可能である。
【００１８】
さらに別の好ましい実施形態によれば、印刷製品を給送するためのコンベヤベルトと、複数のストップを備える搬送装置の両方を、水平線から下向きに偏位した方向に沿って少なくとも部分的に導き、こうして印刷製品の搬送移動に加えて収集および積み重ね過程を助けるために重力を使用できることが提供される。
【００１９】
特に収集および積み重ね過程中に、鱗片状に部分的に重なり合った様式で供給される印刷製品が確実に共に押されることを可能にするために、さらに別の好ましい実施形態によれば、１つのストップがその都度鱗片状配置で供給される印刷製品と会合する区域にコンベヤベルト部分を備え、このコンベヤベルト部分は鱗片状の印刷製品の供給速度に対して高い速度で駆動されることが提案される。
【００２０】
スタックの形成を容易にするために、さらに別の好ましい実施形態によれば、鱗片状の印刷製品に作用するためのノズルをスタック形成領域に追加的に備えることが提案される。
【００２１】
印刷製品を搬送方向に導くために、搬送方向に実質的に平行に延在するガイド、特に振動ガイドを少なくともスタック形成領域に備えることがさらに提案される。
【００２２】
積み重ね過程中の印刷製品の搬送速度と特にストップの移動速度との間の適切な同調によって、所定または予め決定可能な高さと印刷製品数とを有するスタックを各々形成することができるが、さらに別の好ましい実施形態によれば、その都度スタックに組み合わせようとする印刷製品の取得と計数のために、スタック形成領域に認識装置または計数装置を備えることが提案される。
【００２３】
本発明によれば、鱗片状の配置でコンベヤベルトの上に置かれた部分的に重なり合った印刷製品は、その後に配置された搬送装置によって水平に捉まり、円弧を通じて斜め下向きに導かれる。これが行われる場合、製品は円弧の領域においてローラによって保持される。ローラの後に続く特別の製品ガイドによって、製品が自ずから滑り落ちることなく製品の活動的な変位が可能になる。
【００２４】
円弧に続いて、短い第２コンベヤベルトが円弧の延長部に配置されている。これもまた斜め下向きに方向付けられている。しかし、このコンベヤベルトはより高いベルト速度で走行する。駆動されることなく緩く回転するキャスタによって形成された第２円弧が、製品を水平位置に運ぶ。
【００２５】
コンベヤチェーンまたはコンベヤベルトの上に取り付けられたブレードまたはストップが、印刷製品のための急速に走行するコンベヤベルトの上で正確に上部から鱗片状物の流れに到達し、キャスタの円弧に沿って鱗片状物の流れに同伴する。ストップの速度は鱗片状物の速度よりも低いので、製品は互いに乗り上げ（ａｕｆｚｕｌａｕｆｅｎ）始める。こうして、スタックがストップまたはブレードの縁部に形成されるが、これはまだ残りの鱗片状物と繋がっている。製品は最高速から減速されるが、より速く走行するコンベヤベルトによって生じる加速度が鱗片状物の下部領域に分与される。２つの相対的移動は水平線に対して傾斜した位置で生じるので、製品は重力の作用の下で追加的に滑り落ち始める。この過程は、製品間にエアクッションを発生させるノズルによって容易になる。その上、２つの製品縁部に設けられたガイドが側方への滑りを防止する。こうして、すべての製品がストップまたはブレードの縁部に到達し、この間に他のストップが鱗片状物の流れの中に導入または挿入される。
【００２６】
ストップは鱗片状物または鱗片状物の流れを次から次へと分割する。ストップの相対的距離を製品のサイズに適合させることができる。多かれ少なかれストップを含むチェーンまたは搬送手段を、搬送手段の全長にわたって何も変更することなく使用することができる。好ましい方式では、円弧形状のキャスタ経路が、製品が特にブレード状のストップから落下することを防止する。この場合には、スタックは重力のみによって動かされて円弧を流れ落ち、確実にストップの速度を受け入れながらストップによって引き留められる。
【００２７】
最終的に、ストップは次々に製品の流れから旋回して離れる。こうしてスタックは次々に転がる。スタックの流れが形成され、このスタックの流れは、製品がもはや鱗片状の関係で前後に配列されず、確実に上下に重なって前後に密に連なるスタックを形成することを特徴とする。さらにスタックをある相互距離で、能率の低い切断装置においても切断することができる。単一スタックの中に含まれる製品の数は、コンベヤベルトとコンベヤチェーンとの速度の比の関数である。電子式製品端部認識手段によって正確に計数されたスタックが可能になる。例えば歯付きベルトまたはコンベヤベルトなどのコンベヤチェーン以外の搬送エレメントを使用してストップを案内してもよい。
【００２８】
既に上に指摘したように、３辺または４辺を裁断するために、印刷製品またはスタックの追加的な回転または転向または再方向付けを行ってもよい。これに関連して、好ましい実施形態では、スタックの少なくとも１つの縁部を裁断した後に印刷製品のスタックを回転させるための装置を追加的に備えることが提案される。
【００２９】
搬送過程中にスタックを転向または回転させるための特に簡単な手段は、本質的に、本発明による装置のさらに別の好ましい実施形態に対応するように、スタックを回転させるための装置が、１つのスタックの上側と下側にそれぞれ対向関係で偏心的に係合する圧縮手段と、スタックが当てられて搬送されるストップとから構成されることを特徴とする。
【００３０】
画定された回転移動を得るために、さらに別の好ましい実施形態によれば、圧縮手段が特にばね負荷式回転式ディスクから構成され、ストップが弧状または漏斗状に配置されたストップローラから構成され、これらの軸は転向しようとするスタックの搬送方向に実質的に垂直に延在することが提案され、さらに別の好ましい実施形態では、これに関連して、特に給送ベルト（Ｚｕｆｏｒｄｅｒｂａｎｄ）の速度よりも高い速度で駆動されるコンベヤベルトまたはコンベヤチェーンを備えて回転式ディスクを動かすことが提案される。
【００３１】
本発明によれば、３辺または４辺を裁断するために備えられた製品またはスタックを、さらなる裁断の前に回転装置によって９０°だけ回転させる。これはまた、元の搬送方向を横切る裁断のみを行う必要があるため、または積み重ね装置による回転が要求されるためのいずれかで、生産上の理由のために回転させる必要がある製品についても可能である。９０°以外の角度も実施することができる。
【００３２】
上記の装置で形成されたスタックが加工処理されることは好ましい。さらに、他の生産プロセスから出たスタックおよび単一製品も回転させることができる。
【００３３】
この目的のために、製品は、キャリッジの上に好ましくは弾性的に取り付けられてチェーンによって引っ張られる回転式ディスクによって捉まり、引き離され、回転される。さまざまな回転式ディスク間隔を有するチェーンを備えてもよい。個別の回転式ディスクは固定された間隔でこれらのキャリッジによってチェーンに留められている。さらに、例えば歯付きベルトなどの別の搬送手段を使用してもよい。チェーンは対として同期的に作動するので、２つの回転式ディスクが共に１つの旋回継手を形成する。製品はこの間に挟まれるので、もはや滑ることはない。一方の側に１つの回転式ディスクと他の側に１つのコンベヤベルトだけを有する実施形態が可能である。製品がローラの上を回転中に滑動し、空気テーブルまたは固定テーブルを使用できることが好ましい。好ましい方式では、製品を製品中央の外側で締め付けて加速する。第１回転が実施され、この場合、加速力が中央片寄りによるトルクを発生する。この傾斜位置で、製品はストップに対して走行し、さらに回転される。このストップは、回転様式で漏斗状に設計されて、回転が過度に急速に発生することを防止することが好ましい。追加の電子式製品端部認識手段によって、製品上への回転式ディスクの正確な装着が可能になる。ある一実施形態では、ストップはそれでも起こり得る不正確さを補償するために横方向に弾んでずれる（ｗｅｇｆｅｄｅｒｎ）ことができる。
【００３４】
したがって、概して、特に費用効果のある素早く動作する切断装置、特に回転ナイフが動作する簡単な方法ならびに簡単な装置が提供される。部分的に重なり合った印刷製品を鱗片状の配置で供給する既存の設備の簡単な改装も実現可能であるから、設備全体を完全に新たに設計する必要はない。
【００３５】
以下に、添付の図面に概略的に図解された例示的な実施形態によって、本発明をさらに詳しく説明する。
【発明を実施するための最良の形態】
【００３６】
図１から、印刷製品を加工処理するための、特に製品スタックを形成するための装置の一実施形態が明らかになる。印刷製品１１を、最初は水平に延在するコンベヤベルト１の上で、鱗片状に上下に配置された形で、または互いに部分的に重なり合った様式で搬送することができる。この後、コンベヤベルト１は円弧の上を斜め下向きに導かれる。この下向き移動の間に、製品はローラ２とガイド３によって支持され、このローラ２は製品を確保し、これらのガイド３は製品の活動的な変位を可能にする。製品の寸法に応じてローラ２を前後に押すことができる。
【００３７】
コンベヤベルト１の円弧に続いて、さらに別のコンベヤベルト４が斜め下向きに延在するように配置されている。区分４のベルト速度はコンベヤベルト１の速度よりも高い。非駆動キャスタ円弧５が製品を水平位置に戻す。
【００３８】
複数のブレードまたはストップ６が、チェーンによって形成された搬送手段７の助けによって製品の流れの中に上から入る。ブレード状のストップ６はキャスタ円弧５に沿って鱗片状物の流れに随伴する。貫通ストップ６の速度は鱗片状物の速度よりもわずかに低い。こうして、製品は互いに乗り上げて、スタック１２を形成し始めるが、まだ鱗片状物に共に繋がれている。
【００３９】
コンベヤベルト４は鱗片状物を下から加速させそれを分けるが、別のストップ６が鱗片状物の流れの中に貫通する。重力の作用によって、製品１１はストップの縁部によって正確に方向付けられる。この過程は、側方ガイドを任意に振動させることによって容易になる。
【００４０】
スタック１２は、ローラ円弧５を介してその水平位置を取り戻す。こうして、正確に重なり合った製品のスタックは、鱗片状の形で到着する製品によって形成される。ローラ円弧５の端部において、ストップ６は再度チェーン７によって製品の流れから引き出される。スタック１２はコンベヤベルト８の上を互いに転がることができる。コンベヤベルト８の速度は、製品間の距離ができるだけ小さくなるように調整される。製品は回転式ナイフ９および１０の助けによって切断される。
【００４１】
図２Ａは、製品スタックを回転させるための装置の一実施形態を図示する。スタック１２として上下に重なって配置された印刷製品１１を、水平に延在するコンベヤベルト２１の上で運搬することができる。コンベヤベルト２１の延長端部に、チェーン２２及ぶ２３から構成されるチェーンコンベヤが配置され、スタック１２がコンベヤベルト２１から、チェーンに弾性的に固定された回転式ディスク２４によって捉えられるようになっている。チェーン２２および２３の速度は供給コンベヤベルト２１の速度よりも高いので、製品間の距離は増す。さらにまた、製品中央の外側に適用される回転式ディスク２４は速度の変化のためにトルクを発生させるので、製品は回転を分与される。回転式ディスク２４の間にスタックを挟む回転式ディスク２４によって、スタックは前記回転中にそれ自体の中でも滑ることができない。
【００４２】
図２Ｂは、ローラテーブル２５の上の前記回転を図示する。テーブルの略中央に、スタック１２がなお回転式ディスク２４によって保持され、漏斗状の様式で配置されたローラによって案内されるストップ２６に対して走行する。ストップローラ２６によって案内されて、次にスタックは平行に方向付けられるまでさらに回転される。図２Ａに図示するコンベヤベルト２７が、こうして回転したスタック１２を引き取る。ベルト速度を介してスタック１２間の相対距離を調節することができる。
【００４３】
図３Ａおよび３Ｂは、回転中に製品スタックを保持するための装置の一実施形態を図示する。製品スタックは、ばね３２によって保持されることによって回転式ディスク３１の間に締め付けられる。２つの回転式ディスク３１はそれぞれ、製品スタックをそれ自体の中で滑らせることなく、製品スタックの自由回転を可能にする旋回継手を形成する。案内経路３５を走行するローラ３３を有する案内キャリッジは、こうして形成された保持力を取り上げる。案内キャリッジは、回転式ディスクの軸が互いに上下に正確に位置するように、チェーン３４によって引っ張られる。
【図面の簡単な説明】
【００４４】
【図１】本発明による方法を実施するために使用される製品スタックを形成するための、本発明による装置の一実施形態の概略立面図である。
【図２Ａ】搬送設備において製品スタックを回転させるための本発明による装置の一実施形態の概略立面図である。
【図２Ｂ】搬送設備において製品スタックを回転させるための本発明による装置の一実施形態の概略平面図である。
【図３Ａ】回転中に製品スタックを保持するための本発明による装置の一実施形態の概略立面図である。
【図３Ｂ】回転中に製品スタックを保持するための本発明による装置の一実施形態の概略平面図である。
【国際調査報告】
2007515358.tif 000008
2007515358.tif 000009
2007515358.tif 000010
2007515358.tif 000011
2007515358.tif 000012
2007515358.tif 000013